(57)【要約】【課題】横向きに往復動する内刃に外刃を被せた電気かみそりにおいて、内刃を取付ける往復運動軸をその動きの妨げとならぬ様に、防水を図るシール部材の外周縁を押圧する固定プレートを、容易に且つシール部材の外周を均等に押圧できる様に取り付ける。【解決手段】本体ケース１に、固定プレート65の窓孔66を貫通して往復運動軸70が配備され、該窓孔の孔縁がシール部材６の外周縁に被さっている。固定プレート65の外周縁側には掛り爪60が設けられ、固定プレート65は本体ケース１上に設けた凹み部40に前記掛り爪(60)を係合すると共に本体ケース１上にビス止めされている。【選択図】図４
2008237813.tif 000002
【特許請求の範囲】
【請求項１】
本体ケース(１)のヘッド部(12)に、往復運動軸(75)(75a)に連繋された可動内刃(79)と該内刃(79)に被さった外刃(82)を具え、往復運動軸(75)(75a)は本体ケース(１)上に固定された固定プレート(65)の窓孔(66)を貫通し、該窓孔(66)は往復運動軸(75)(75a)の動きを妨げずに窓孔(66)のシールを画るシール部材(６)で塞がれ、該シール部材(６)は、固定プレート(65)によって押圧保持されている電気かみそりにおいて、固定プレート(65)の外周縁側には掛り爪(60)が設けられ、固定プレート(65)は本体ケース(１)上に設けた凹み部(40)に前記掛り爪(60)を嵌めると共に本体ケース(１)上にビス止めされている、電気かみそり。
【請求項２】
本体ケース(１)のヘッド部(12)は、可動内刃(79)の直線往復方向に横長であって、ヘッド部(12)の長手方向に沿う両側壁の内、一方の側壁に凹み部(40)が形成され、他方の側壁の両端寄りに、固定プレート取付け用のネジ穴(17)(17)が開設されている、請求項１に記載の電気かみそり。
【請求項３】
本体ケース(１)上の凹み部(40)及びビス止め用ネジ穴(17)(17)は、本体ケース(１)に取り付けられた部品、又は本体ケース(１)に直接に設けられている、請求項１又は２に記載の電気かみそり。
【請求項４】
本体ケース(１)のヘッド部(12)に、偏芯運動をする駆動軸(71)に振動子(72)を介して可動内刃(79)が取り付けられ、該内刃(79)に外刃(82)が被さっている電気かみそりであって、振動子(72)は、内刃連結用の往復運動軸(75)(75a)の下端両端に可撓性腕片(74)(74)を突設し、両腕片(74)(74)が振動子取付け専用のボス(43)(43)にビス止め固定され、腕片(74)(74)は固定用のビス(77)(77)を含めて防水ケース(５)内に収容され、該防水ケース(５)から往復運動軸(75)(75a)が液密に外部に突出している、電気かみそり。
【請求項５】
請求項２の電気かみそりにおいて、外刃(82)を横長の囲い壁(81)に収容して外刃カセット(８)を構成し、該外刃カセット(８)を、本体ケース(１)に着脱可能且つロック片(９)(９)によって取付け状態にロックしており、ロック片(９)(９)は本体ケース(１)のヘッド部(12)の両端に位置して、バネ(93)(93)によってロック方向へ付勢され、ロック片(９)に突設され本体ケース(１)から臨出したロック解除片(92)をバネ(93)に抗して押圧して外刃カセット(８)のロックを解除できる、電気かみそり。
【請求項６】
本体ケース(１)内に、可動内刃駆動用のモータ(32)、配線基板(33)、充電池(37)を収容して本体ケース(１)内への水の侵入を防ぐ防水を施した電気かみそりにおいて、モータ(32)及び配線基板(33)を収容する第１空間(24)と、充電池を収容する第２空間(25)とを気密に仕切り、第１、第２両空間(24)(25)に、本体ケース(１)外に開口する通気孔(19a)(19b)が開設され、該通気孔(19a)(19b)は、一方向から同時に防水フィルター(19d)(19d)を装着可能な位置に開設されている、電気かみそり。
【請求項７】
第１空間(24)の通気孔(19a)と第２空間(25)の通気孔(19b)は、本体ケース(１)の定格表示ラベル等のラベルを貼るラベル貼着部(19)上に開設され、ラベル(21)には通気孔(19a)(19b)に重なる小孔(22)(22)が開設されている、請求項６記載の電気かみそり。
【発明の詳細な説明】
【技術分野】
【０００１】
本発明は、直線往復動する可動内刃に外刃が被さった電気かみそりに関するものである。
【背景技術】
【０００２】
従来のこの種電気かみそりは、図９、図１０に示す如く、本体ケース(１)のヘッド部(12)に、往復運動軸(75)に連繋された可動内刃(79)と該内刃に被さった外刃(82)を具え、往復運動軸(75)は固定プレート(65)の窓孔(66)を貫通し、該窓孔(66)は往復運動軸(75)の動きを妨げずに該窓孔(66)のシールを画るシール部材(６)で塞がれ、該シール部材(６)の外周縁が固定プレート(65)の窓孔(66)の縁部によって押圧保持されている(特許文献１)。
【０００３】
往復運動軸(75)(75a)は、偏芯運動する駆動軸(71)に振動子(72)を介して連繋され、横方向に往復運動する。
振動子(72)は、往復運動軸(75)(75a)の下端両端に可撓性の腕片(74)(74)を突設しており、
振動子(72)は駆動軸(71)と共に、ヘッド部(12)内の防水ケース(５)に収容されている。
【０００４】
防水ケース(５)は、振動子(72)を包囲するヘッド部(12)上の周壁(42)に、防水ケース蓋(51)を被せて形成されている。
防水ケース蓋(51)は、往復運動軸(75)を遊貫通させる窓孔(55)を有する天板(52)と該天板(52)の外周縁から下向きに突設した周壁(53)を有し、該周壁(53)を前記したヘッド部(12)上の周壁(42)の外周に液密に嵌めて構成される。
【０００５】
振動子(72)は、両腕片(74)(74)の先端を上記防水ケース(５)内に位置するボス(43)(43)の上端に載せ、その上に防水ケース蓋(51)の天板(52)を載せ、該天板(52)の上に前記固定プレート(65)を被せて、固定プレート(65)と天板(52)を共通のビス(50)(50)によって固定している。
前記シール部材(６)の外周縁は、防水ケース蓋(51)と固定プレート(65)に挟圧保持される。
上記ビス(50)(50)の頭は防水ケース(５)の外部に露出している。
【０００６】
外刃(82)は横長の囲い壁(81)に収容されて、本体ケース(１)のヘッド部(12)に着脱可能な外刃カセット(８)を構成しており、該外刃カセット(８)は、本体ケース(１)に着脱可能且つロック片(９)によって取り付け状態にロック可能である。  ロック片(９)は、本体ケース(１)の横長ヘッド部(12)内の両端に配備され、前記防水ケース(５)の側壁と各ロック片(９)(９)との間に介装されたバネ(93)(93)によって、外向き(ロック方向)に付勢されている。ロック片(９)に設けられ本体ケース(１)から臨出したロック解除片(92)をバネ(93)に抗して押圧して外刃カセット(８)のロックを解除できる。
【０００７】
又、本体ケース(１)内を、モータ(32)及び配線基板(33)を収容する第１空間(24)と充電池(37)を収容する第２空間(25)を仕切り、両空間(24)(25)に夫々外部に連通する通気孔(19a)(19b)を設け、夫々の通気孔(19a)(19b)に防水フィルター(19d)(19d)を装着している。
上記通気孔(19a)(19b)は、公知の如く、本体ケース(１)の外気圧の変化を本体ケース内に対応させるため、及び充電時に充電池(37)から発する水素ガスの爆発を防止するためである。
【０００８】
【特許文献１】特開２００６−５１１４６号公報
【発明の開示】
【発明が解決しようとする課題】
【０００９】
上記特許文献１の電気かみそりは、図９、図１０に示す如く、横長の固定プレート(65)がその両端部において、幅方向の中央部でビス(50)(50)止め固定されているから固定プレート(65)に反りや変形が生じ易く、シール部材(６)の外周縁を均一に押圧できず、シール効果を損なう虞れがあった。
本発明の課題の１つは、固定プレート(65)の取付け方法を工夫することにより、固定プレート(65)の反りや、変形を抑えて、シール部材(６)のシール効果を高めることである。
【００１０】
又、固定プレート(65)を、固定プレート単独ではなく、振動子(72)や防水ケース蓋(51)等、他の部品と一緒に共通のビス(50)(50)で固定する場合、該ビス(50)(50)の位置に制約を受ける。
例えば、外刃カセット(８)のロック片(９)を付勢するバネ(93)は、該ビス(50)の外側に配備することになり、その分、本体ケース(１)のヘッド部(12)が一層横長になり、小型化の妨げとなる。
本発明の課題の１つは、固定プレート(65)を取り付けるビス止め位置の制約を少なくして、ロック片(９)付勢用のバネ(93)を該ビスに邪魔されることなく介装可能とし、本体ケース(１)のヘッド部(12)の横長さを抑えて、小型化に寄与することである。
【００１１】
又、特許文献１の様に、振動子(72)を防水ケース蓋(51)及び固定プレート(65)と一緒に共通のビス(50)で止めると、該ビス(50)の頭が防水ケース(５)の外側に露出するため、ビス(50)の軸部にＯリング(59)を嵌めて、固定プレート(65)のビス挿通孔のシールを図る必要があり、組立に手間が掛かる。ビス(50)はステンレス等錆びない材質のものを選択する必要があり、一般の錆び易いビスより高価である。
又、上記Ｏリング(59)は極小であり、ビス(50)への装着に手間が掛かり、又、極小Ｏリングは経年劣化し易く、防水ケース(５)の防水性の信頼性に問題がある。
本発明の課題の１つは、防水ケース(５)の防水の信頼性を高めると共に、振動子(72)固定用のビス(77)を、耐錆性を問題としない安価なビスを用いることを可能にすることである。
【００１２】
又、本体ケース(１)内の第１空間(24)と第２空間(25)の夫々の通気孔(19a)(19b)は、本体ケース(１)の側面と底面に開設されており、通気孔(19a)(19b)に防水フィルター(19d)を装着する作業を個別に行わねばならず、手間がかかる。
【課題を解決するための手段】
【００１３】
請求項１は、本体ケース(１)のヘッド部(12)に、往復運動軸(75)(75a)に連繋された可動内刃(79)と該内刃(79)に被さった外刃(82)を具え、往復運動軸(75)(75a)は本体ケース(１)上に固定された固定プレート(65)の窓孔(66)を貫通し、該窓孔(66)は往復運動軸(75)(75a)の動きを妨げずに窓孔(66)のシールを画るシール部材(６)で塞がれ、該シール部材(６)は、固定プレート(65)によって押圧保持されている電気かみそりにおいて、固定プレート(65)の外周縁側には掛り爪(60)が設けられ、固定プレート(65)は本体ケース(１)上に設けた凹み部(40)に前記掛り爪(60)を嵌めると共に本体ケース(１)上にビス止めされている。
【００１４】
請求項２は、本体ケース(１)のヘッド部(12)は、可動内刃(79)の直線往復方向に横長であって、ヘッド部(12)の長手方向に沿う両側壁の内、一方の側壁に凹み部(40)が形成され、他方の側壁の両端寄りに、固定プレート取付け用のネジ穴(17)(17)が開設されている。
【００１５】
請求項３は、請求項１又は２の電気かみそりにおいて、凹み部(40)及びビス止め用ネジ穴(17)(17)は、本体ケース(１)に取り付けられた部品、又は本体ケース(１)に直接に設けられている。
【００１６】
請求項４は、本体ケース(１)のヘッド部(12)に、偏芯運動をする駆動軸(71)に振動子(72)を介して可動内刃(79)が取り付けられ、該内刃(79)に外刃(87)が被さっている電気かみそりであって、振動子(72)は、内刃連結用の往復運動軸(75)(75a)の下端両端に可撓性腕片(74)(74)を突設し、両腕片(74)(74)が振動子取付け専用のボス(43)(43)にビス止め固定され、腕片(74)(74)は防水ケース(５)で覆われて、該防水ケース(５)から往復運動軸(75)(75a)が液密に外部に突出している。
【００１７】
請求項５は、請求項２の電気かみそりにおいて、外刃(82)を横長の囲い壁(81)に収容して外刃カセット(８)を構成し、該外刃カセット(８)を、本体ケース(１)に着脱可能且つロック片(９)(９)によって取付け状態にロックしており、ロック片(９)(９)は本体ケース(１)のヘッド部(12)の両端に位置して、バネ(93)(93)によって外側へ付勢され、ロック片(９)に突設され本体ケース(１)から臨出したロック解除片(92)をバネ(93)に抗して押圧して外刃カセット(８)のロックを解除できる。
【００１８】
請求項６は、本体ケース(１)内に、可動内刃駆動用のモータ(32)、配線基板(33)、充電池(37)を収容して本体ケース(１)内への水の侵入を防ぐ防水を施した電気かみそりにおいて、モータ(32)及び配線基板(33)を収容する第１空間(24)と、充電池を収容する第２空間(25)とを仕切り、第１、第２両空間(24)(25)に、本体ケース(１)外に開口し水は遮断する通気孔(19a)(19b)が開設され、該通気孔(19a)(19b)は、一方向から同時に防水フィルター(19d)(19d)を装着可能な位置に開設されている。
【００１９】
請求項７は、請求項６の電気かみそりにおいて、第１空間(24)の通気孔(19a)と第２空間(25)の通気孔(19b)は、本体ケース(１)の定格表示ラベル等のラベル(21)を貼るラベル貼着部(19)上に開設され、ラベル(21)には通気孔(19a)(19b)に重なる小孔(22)(22)が開設されている。
【発明の効果】
【００２０】
請求項１の電気かみそりは、固定プレート(65)の外周縁側に設けた掛り爪(60)を本体ケース(１)上に設けた凹み部(40)に係合すると共に本体ケース(１)上にビス止めして固定されるから、掛り爪(60)分はビスを省略できる。このため、固定プレート(65)の長手方向に沿う一方の側縁に掛り爪(60)を設け、他方の側縁の両端寄りを本体ケース(１)上にビス止め固定すると、二等辺三角形の頂部の三箇所を本体ケース(１)上に固定できるため、固定プレート(65)を少ない本数のビス(69)で安定して、且つ固定プレート(65)の反りや、変形を抑えて本体ケース(１)上に固定できる。
【００２１】
このため、固定プレート(65)の窓孔(66)を塞ぐシール部材(６)の外周部を窓孔(66)の縁部で均等に押圧して、安定したシール効果を保つことができる。
固定プレート(65)の掛り爪(60)と本体ケース(１)上の凹み部(40)の係合は、ビス止めに較べて手間が掛からないから、固定プレート(65)取付け用のビス(69)の本数が減ると、組立の能率を高めることができる。
固定プレート(65)を金属板の打抜きで形成する場合、掛り爪(60)も同時に形成でき、又も凹み部(40)を本体ケース(１)に直接に開設する、或いは本体ケース(１)に取付ける部品に開設するにしても、該部品或いは本体ケース(１)を合成樹脂の射出成形で形成すれば、凹み部(40)も同時に形成できるから、掛り爪(60)、凹み部(40)を形成するための手間は不要である。
【００２２】
請求項２、３の電気かみそりの効果は、請求項１の効果で説明済みである。
【００２３】
請求項４の電気かみそりは、振動子(72)(72a)は、その固定用ビス(77)(77)を含めて防水ケース(５)内に収容されているから、ビス(77)(77)は耐錆性を問題としない安価なビスを使用できる。又、該ビス(77)にはＯリングを装着する必要はないから、従来の様に該Ｏリングに起因する組立の手間、本体ケース(１)の防水性の信頼性の問題も解消される。
【００２４】
請求項５の電気かみそりは、固定プレート(65)を本体ケース(１)上に取付けるためのネジ穴(17)(17)が、本体ケース(１)上の横長の両側壁の内、一方の側壁の両端寄りに設けられているため、外刃カセット(８)をロックするロック片(９)をロック方向に付勢するバネ(93)を、ネジ穴(17)(17)に螺合されるビス(77)(77)に邪魔されることなく、本体ケース(１)のヘッド部(12)の両端に収容できるから、ヘッド部(12)の小型化に寄与できる。
【００２５】
請求項６の電気かみそりは、本体ケース(１)は、モータ(32)及び配線基板(33)を収容する第１空間(24)と、充電池を収容する第２空間(25)の夫々通気孔(19a)(19b)は、一方向から同時に防水フィルター(19d)(19d)を装着できるから、防水フィルター(19d)の取付け作業性がよい。
【００２６】
請求項７の電気かみそりは、請求項６の通気孔(19a)(19b)を本体ケース(１)の定格表示ラベル等のラベル(21)を貼るラベル貼着部(19)上に開設しているから、通気孔(19a)(19b)に対応して小孔(22)(22)を開設したラベル(21)をラベル貼着部(19)に貼と、本体ケース(１)の通気孔(19a)(19b)に施した防水フィルター(19d)(19d)の存在を隠して体裁をよくできる。
【発明を実施するための最良の形態】
【００２７】
図１は本発明に係る電気かみそり、図２はその分解図を示す。
該電気かみそりは水洗い可能に構成されている。
電気かみそりは本体ケース(１)、該本体ケースに差し込んで装填される作動ユニット(２)、及び本体ケース(１)に着脱可能に取り付けられる外刃カセット(８)からなる。
外刃カセット(８)は、囲い壁(81)に３つの外刃(82)を平行に取り付けて構成されるが、図１では外刃(82)を外した状態を示している。
【００２８】
本体ケース(１)は、縦長有底の筒状ハンドル(11)の上部に横長に拡大して上面が略長方形に開口したヘッド部(12)を形成している。
ヘッド部(12)の両端と、筒状ハンドル(11)は補強片(14)(14)で繋がっている。
ヘッド部(12)の両端には、外刃カセット(８)に対するロック片(９)のロック解除片(92)を臨出させる孔(15)(15)が開設されている。
筒状ハンドル(11)の正面(前側の面)にはＯＮ−ＯＦＦスイッチ(13)が設けられている。
ヘッド部(12)は前方へ少し傾いている。
ヘッド部(12)の開口四隅に、後記する固定プレート(65)を載せるボス(16)(16)(18)(18)(以下、「固定プレート用ボス」と呼ぶ)(図８参照)が上向きに突設され、後側の２つのボス(16)(16)には、ネジ穴(17)(17)が開設されている。
【００２９】
本体ケース(１)の筒状ハンドル(11)の背面には、図６に示す如く、縦長の平滑なラベル貼着部(19)が設けられ、該ラベル貼着部(19)の上下両端に、通気孔(19a)(19b)が開設される。
通気孔(19a)(19b)の周囲は凹段部(19c)に形成され、該凹段部(19c)に防水フィルター(19d)が取り付けられる。
ラベル貼着部(19)に貼るラベル(21)には、電気かみそりの定格等が記されており、両端側には、前記通気孔(19a)(19b)に重なる位置に小孔(22)(22)が開設されている。
【００３０】
本体ケース(１)の背面上部には、際剃り刃を上下するスライド片(10)が設けられているが、際剃り刃は本願発明には関係しないので、説明は一切省略する。
【００３１】
図２に示す如くね作動ユニット(２)は、縦長のバー状を呈する電装部(３)と、該電装部(３)の上端に設けられた駆動部(７)とからなる。
図２、図７に示す如く、電装部(３)は、合成樹脂製の縦長のホルダー(31)内に充電池(37)を収容し、ホルダー(31)の上端にモータ(32)を搭載し、ホルダー(31)の正面に配線基板(33)を取り付けて構成されている。
ホルダー(41)の下端には、充電用の２本の充電用通電ピン(36)(36)が突設されている。
【００３２】
駆動部(７)は、図５に示す如く、前記本体ケース(１)のヘッド部(12)に緊密に嵌まる内ケース(４)上に、外刃カセット(８)の外刃(82)が被さる可動内刃(79)を横方向に往復移動させるメカニズムが組み込まれている。
【００３３】
内ケース(４)の底部４隅には孔(41)(図２参照)が開設され、前記本体ケース(１)に突設された４つのボス(16)(16)(18)(18)は、該孔(41)を貫通して内ケース(４)内へ侵入する。
内ケース(４)の前側壁には、後記する固定プレート(65)の掛り爪(60)が嵌まる横長の凹み部(40)が前記ボス(16)(18)を、該さに対応して開設され、実施例の凹み部(40)は内ケース(４)の側壁を貫通している。
内ケース(４)が本体ケース(１)のヘッド部(12)に嵌合した状態では、該凹み部(40)は外側からはは隠れて見えない。
内ケース(４)内には、該内ケース(４)の横長方向に間隔を存して後記する振動子(72)(72a)取り付け用の２つのボス(43)(43)(以下、「振動子用ボス」と呼ぶ)が、前記固定プレート用ボス(16)(18)と平行に突設されている。
内ケース(４)には、振動子用ボス(48)(48)を四角形に包囲して周壁(42)が上向きに突設されている。該周壁(42)は後記する防水ケース(５)の下部となる。
内ケース(４)の両端中央には前記ロック片(９)のロック解除片(92)を臨出させるための切欠(44)(44)が設けられている。
【００３４】
上記内ケース(４)の周壁(42)に、防水ケース蓋(51)を被せて防水ケース(５)を形成する。
図４，図５に示す如く、防水ケース蓋(51)は、天板(52)と該天板(52)の外周縁から下向き延びた周壁(53)とからなり、該周壁(53)を内ケース(４)上の周壁(42)の外側にＯリング(54)を介在させて液密に嵌合している。
防水ケース蓋(51)の天板(52)は、前記本体ケース(１)のヘッド部(12)の上面開口に殆んど余裕のない状態に嵌まる略長方形に形成されている。
該天板(52)は、中央部に四角形の窓孔(55)、両端中央に切欠(56)(56)、後縁側両隅にビス挿通孔(57)(57)が開設されている。
天板(52)の上面には窓孔(55)を一周して周溝(51a)が開設され、下面には振動子固定用のビス(77)の頭を逃がす凹みが形成されている。該凹みとの対応位置にて、防水ケース蓋(51)の上面には円形の隆起部(58)(58)が形成されている。
【００３５】
防水ケース蓋(51)の窓孔(55)は、防水と髭の剃りかすの防水ケース(５)内への侵入を防止するために、シール部材(６)によって液密に塞がれる。
シール部材(６)は、防水ケース蓋(51)の窓孔(55)より少し大きく形成されており、後記する振動子(72)(72a)に連繋された往復運動軸(75)(75a)が貫通する孔(63)(63)及び各孔(63)(63)を包囲して襞状周壁部(62)(62)を有する。
シール部材(６)は外周縁の全周に亘って下向きの位置決め片(61)を具えており、該位置決め片(61)を前記防水ケース蓋(51)の周溝(51a)に緊密に嵌めている。
【００３６】
防水ケース(５)内に２つの振動子(72)(72a)が前後に並んで収容されている。２つの振動子(72)(72a)は、モータ(32)の回転を横往復運動に変換する公知のものであって、ベース部(73)の両端に突設した可撓性の腕片(74)(74)の先端を前記振動子用ボス(43)(43)にビス(77)(77)止めされて、宙吊り状態に支持されている。
２つの振動子(72)(72a)は、互いの腕片の先端部を重ねて共通のビス(77)(77)によって取り付けられている。
【００３７】
両振動子(72)(72a)のベース部(73)(73)は高さ位置が異なっており、夫々溝孔(78)を有している。
前記モータ(32)に駆動軸(71)を介して振動子(72)(72a)が連繋される。駆動軸(71)は１８０°位相の異なる２つの偏芯軸(71a)(71b)を有し、該偏芯軸(71a)(71b)を前記２つの振動子(72)(72a)の溝孔(78)(78)に嵌めている。
両振動子(72)(72a)のベース部(73)(73)には上向き突子(70)(70a)が突設され、該突子(70)(70a)に往復運動軸(75)(75a)が嵌合される。
往復運動軸(75)(75a)は、前記シール部材(６)の孔(63)(63)を液密に貫通して、防水ケース(５)から上向きに突出している。
前側の往復運動軸(75)は前後に二股に形成され、該往復運動軸(75)に２つの内刃(79)(79)、後側の往復運動軸(75a)に１つの内刃(79)が、平行に取り付けられる。
【００３８】
前記防水ケース蓋(51)の上から固定プレート(65)が本体ケース(１)上に固定される。
固定プレート(65)は、本体ケース(１)のヘッド部(12)の上面開口に殆んど余裕のない状態に嵌まる略長方形に形成されている。
固定プレート(65)は中央部に窓孔(66)、該窓孔(66)の左右両側に位置決め孔(67)(67)、両端中央に切欠(64)(64)、後縁側両端隅にビス挿通孔(68)(68)が開設されている。
固定プレート(65)の前側縁の中央部に掛り爪(60)が短く突設されている。
【００３９】
前記内ケース(４)の両端に外刃カセット(８)を取付け状態にロックするロック片(９)(９)が配備される。
図４、図５に示す如く、ロック片(９)は、上向きにロック爪(91)、外向きにロック解除片(92)を有しており、ロック爪(91)を前記防水ケース蓋(51)と固定プレート(65)の切欠(56)(64)を貫通して固定プレート(65)の上面から臨出させ、ロック解除片(92)を内ケース(４)の切欠(44)及び前記本体ケース(１)の長孔(15)を貫通して外部に臨出させている。
ロック片(９)と前記防水ケース(５)との間にロック片(９)を外向きに付勢するバネ(93)が介装さている。
ロック片(９)は、外刃カセット(８)の囲い壁(81)下端の内向き凸部(83)にロック爪(91)引掛けて、外刃カセット(８)をロックする。
ロック片(９)のロック解除片(92)をバネ(93)に抗して押すと、ロック片(９)が後退してロック爪(83)と外刃カセット(８)の係合が外れて、外刃カセット(８)のロックが解除される。
【００４０】
図２に示す如く、上記作動ユニット(２)は、駆動部(７)の下部と電装部(３)の下部に、本体ケース(１)の筒状ハンドル(11)の内面に対してシールを図るシール部(30a)(30b)を形成している。
上部のシール部(30a)は、前記内ケース(４)の下部外周にＯリング(35)を装着して形成されている。
下部のシール部(30b)は、前記ホルダー(31)にフランジ(34)を突設し、該フランジの外周にＯリング(35)を装着して形成される。
【００４１】
作動ユニット(２)を本体ケース(１)に装填した状態で、本体ケース(１)内は前記した上下のシール部(30a)(30b)間の第１空間(24)と、下シール部(30b)と本体ケース(１)の底面間の第２空間(25)とに、気密に仕切られる。
第１空間(24)にはモータ(32)、配線基板(33)が収容され、第２空間(25)はホルダー(31)内に連通している。
第１空間(24)は、前記本体ケース(１)の筒状ハンドル(11)に開設した上通気孔(19a)を通じて、第２空間(25)は下通気孔(19b)を通じて夫々大気に連通している。
【００４２】
本体ケース(１)への作動ユニット(２)の組み込み手順は、ロック片(９)、往復運動軸(75)(75a)、固定プレート(65)を外した状態の作動ユニット(２)を本体ケース(１)に装填し、作動ユニット(２)の内ケース(４)を本体ケース(１)のヘッド部(12)に緊密に嵌合し、本体ケース(１)のボス(16)(16)(18)(18)を本体ケース(１)内に侵入させる。
固定プレート(65)を、その掛り爪(60)を内ケース(４)の側壁の凹み部(40)に嵌めて防水ケース蓋(51)に被せる。固定プレート(65)の位置決め孔(67)(67)に防水ケース蓋(51)の隆起部(58)(58)が嵌まって、固定プレート(65)の位置が決まり、固定プレート(65)と防水ケース蓋(51)のビス挿通孔(57)(57)、(68)(68)が一致する。
【００４３】
固定プレート(65)の掛り爪(60)を内ケース(４)の凹み部(40)ら嵌めるとき、固定プレート(65)の前部両端を、本体ケース(１)の前部両端のボス(18)(18)に載せて固定プレート(65)を前方に押すと、掛り爪(60)を凹み部(40)に簡単に嵌めることができる。
防水ケース蓋(51)と固定プレート(65)の一致したビス挿通孔(57)(68)、(57)(68)に挿通したビス(69)を、本体ケース(１)のボス(16)(16)のネジ穴(17)(17)に螺合して固定プレート(65)を固定する。
固定プレート(65)は防水ケース蓋(51)を押圧し、該防水ケース蓋(51)を介して内ケース(４)を本体ケース(１)のヘッド部(12)に押圧することにより、内ケース(４)、即ち作動ユニット(２)を本体ケース(１)に固定できる。
固定プレート(65)の窓孔(66)の縁部は、シール部材(６)の外周を押圧してシール部材(６)を定位置に保持する。
【００４４】
シール部材(６)の上方から、シール部材(６)の孔(63)(63)に往復運動軸(75)(75a)を通して、該往復運動軸(75)(75a)を振動子(72)(72a)上の突子(70)(70a)に嵌め、該突子(70)(70a)に内刃(79)(79)(79)を装着する。
内ケース(４)の両端にロック片(９)及びバネ(93)を組み込んで、ロック解除片(92)を本体ケース(１)の長孔から臨出させる。
【００４５】
上記の如く、本発明の電気かみそりは、固定プレート(65)の外周縁側に設けた掛り爪(60)を内ケース(４)に設けた凹み部(40)に係合すると共に、本体ケース(１)上のボス(16)(16)にビス止めして固定されるから、掛り爪(60)の分はビスを省略できる。このため、固定プレート(65)の前側縁に掛り爪(60)を設け、後側縁の両端部を本体ケース(１)にビス止め固定すると、二等辺三角形の頂部の三箇所を本体ケース(１)上に固定できるため、固定プレート(65)を少ない本数のビスで安定して、且つ固定プレート(65)の反りや、変形を抑えて固定できる。
【００４６】
このため、固定プレート(65)の窓孔(66)を塞ぐシール部材(６)の外周部を窓孔(66)の縁部で均等に押圧して、安定したシール効果を保つことができる。
固定プレート(65)の掛り爪(60)と内ケース(４)の凹み部(40)の係合は、ビス止めに較べて手間が掛からないから、固定プレート(65)取付け用のビスの本数が減ると、組立の能率を高めることができる。
【００４７】
振動子(72)(72a)は、その固定用ビス(77)(77)を含めて防水ケース(５)内に収容されているから、ビス(77)(77)は耐錆性を問題としない安価なビスを使用できる。又、該ビスにはＯリングを装着する必要はないから、従来の様に該Ｏリングに起因する組立の手間、本体ケース(１)の防水性の信頼性の問題も解消される。
【００４８】
固定プレート(65)を本体ケース(１)に取り付けるためのネジ穴(17)(17)が、本体ケース(１)上の後側壁に側に位置するボス(16)(16)に開設されているため、外刃カセット(８)をロックするロック片(９)をロック方向に付勢するバネ(93)を、ボス(16)(16)に邪魔されることなく、即ち、固定プレート(65)を固体するためのビス(69)に邪魔されることなく、本体ケース(１)のヘッド部(12)の両端に収容できるから、ヘッド部(12)の小型化に寄与できる。
【００４９】
本体ケース(１)は、モータ(32)及び配線基板(33)を収容する第１空間(24)と、充電池を収容する第２空間(25)の夫々通気孔(19a)(19b)は、本体ケース(１)の背に開設されているから、該通気孔(19a)(19b)に対して、後方から同時に防水フィルター(19d)(19d)を装着できるから、防水フィルター(19d)の取付け作業性がよい。
【００５０】
上記通気孔(19a)(19b)を本体ケース(１)の定格表示ラベル等のラベル(21)を貼るラベル貼着部(19)上に開設しているから、通気孔(19a)(19b)に対応して小孔(22)(22)を開設したラベル(21)をラベル貼着部(19)に貼ると、本体ケース(１)の通気孔(19a)(19b)に施した防水フィルター(19d)(19d)の存在を隠して体裁をよくできる。
【００５１】
上記説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００５２】
例えば、実施例では、固定プレート(65)の前縁に掛り爪(60)を設けたが、後縁に掛り爪(60)を設け、内ケース(４)の後壁に該掛り爪(60)の嵌まる凹み部(40)を開設することも可能である。
その場合、固定プレート(65)のビス挿通孔(68)(68)は固定プレート(65)前縁側の両隅に設け、本体ケース(１)の前側のボス(18)(18)にビス止めすればよい。
【００５３】
又、実施例では、固定プレート(65)の掛り爪(60)が嵌まる凹み部(40)を内ケース(４)に開設したが、該凹み部(40)を本体ケース(１)に直接に或いは、内ケース(４)の様に本体ケース(１)に固定される部品に開設してもよい。このため、特許請求の範囲では、凹み部(40)を本体ケース(１)上に開設すると表現した。
【００５４】
又、実施例では、固定プレート(65)をビス止めすめためのネジ穴(17)(17)は、内ケース(４)を貫通して内ケース(４)内に侵入したボス(16)(16)に開設したが、内ケース(４)に該ボスに相当するものを突設して、該ボスにネジ穴(17)(17)を開設することもできる。この場合、内ケース(４)を他の手段で本体ケース(１)に固定すればよい。このため、特許請求の範囲では、ネジ穴(17)(17)を本体ケース(１)上に開設すると表現した。
【図面の簡単な説明】
【００５５】
【図１】電気かみそりの斜視図である。
【図２】電気かみそりの分解斜視図である。
【図３】防水ケース蓋、シール部材、固定プレートを分解した電気かみそりの斜視図である。正面図である。
【図４】振動子、防水ケース蓋、シール部材、固定プレート、ロック片の分解斜視図である。
【図５】電気かみそりのヘッド部の縦断面図である。
【図６】電気かみそりの背面図である。
【図７】図７Ａ−Ａ線に沿う断面図である。
【図８】防水ケース蓋、シール部材、固定プレートを外した状態の電気かみそりの平面図である。
【図９】従来例の電気かみそりのヘッド部の縦断面図である。
【図１０】従来例の電気かみそりの外刃カセットを外したヘッド部の斜視図である。
【００５６】
１  本体ケース
11  筒状ハンドル
19  ラベル貼着部
２  作動ユニット
24  第１空間
25  第２空間
３  電装部
４  内ケース
40  凹み部
５  防水ケース
６  シール部材
60  掛り爪
65  固定プレート
７  駆動部
72  振動子
75  往復運動軸
79  内刃
８  外刃カセット
82  外刃
９  ロック片
【図１】
2008237813.tif 000003
【図２】
2008237813.tif 000004
【図３】
2008237813.tif 000005
【図４】
2008237813.tif 000006
【図５】
2008237813.tif 000007
【図６】
2008237813.tif 000008
【図７】
2008237813.tif 000009
【図８】
2008237813.tif 000010
【図９】
2008237813.tif 000011
【図１０】
2008237813.tif 000012